(57)【要約】【課題】吸収体の柔軟性を確保しつつ、吸収体の折れによる漏れを抑制することができる吸収性物品を提供する。【解決手段】  吸収性物品１は、吸収性本体の前側端部と外装体とが重なる前側重複部と、吸収性本体の後側端部と外装体とが重なる後側重複部と、を有しており、少なくとも股下域には、着用者の脚回りに配置される脚回り開口部が形成され、吸収性本体は、脚回り開口部よりも幅方向内側に配置され、かつ長手方向に伸縮するサイド伸縮部を備えており、前側重複部に配置された吸収体及び後側重複部に配置された吸収体には、長手方向に対して傾斜する方向に沿って配置された圧搾部が複数形成され、前記幅方向において前記吸収体と重なる位置にサイド伸縮部の少なくとも一部が接合されている。【選択図】図２
2014069002.tif 000002
【特許請求の範囲】
【請求項１】
着用者の身体前側と身体後側とに延びる前後方向と、前記前後方向に直交する幅方向と、前記着用者に向かう内方向と、前記内方向と反対側に向かう外方向と、を有し、
前胴回り域と、後胴回り域と、前記前胴回り域と前記後胴回り域との間に位置する股下域とを備える吸収性物品であって、
少なくとも前記股下域に配置される吸収体を有する吸収性本体と、前記吸収性本体よりも前記外方向に配置される外装体と、を有しており、
前記吸収性本体の前側端部と前記外装体とが重なる前側重複部と、前記吸収性本体の後側端部と前記外装体とが重なる後側重複部と、を有しており、
少なくとも前記股下域には、前記着用者の脚回りに配置される脚回り開口部が形成され、
前記吸収性本体は、前記脚回り開口部よりも前記幅方向内側に配置され、かつ前記長手方向に伸縮するサイド伸縮部を備えており、
前記前側重複部に配置された吸収体及び前記後側重複部に配置された吸収体には、前記長手方向に対して傾斜する方向に沿って配置された圧搾部が複数形成され、
前記幅方向において前記吸収体と重なる位置に前記サイド伸縮部の少なくとも一部が接合されている、吸収性物品。
【請求項２】
前記圧搾部は、前記吸収体の前記前後方向の端部と前記吸収体の幅方向の端部とに跨がって配置されている、請求項１に記載の吸収性物品。
【請求項３】
前記外装体の前記前胴回り域及び前記後胴回り域には、前記幅方向に伸縮する胴回り弾性材が設けられており、
前記外装体は、前記胴回り弾性材によって収縮する収縮領域と、前記胴回り弾性材によって収縮しない非収縮領域と、を備えており、
前記前側重複部と前記後側重複部の少なくとも一部には、前記非収縮領域が設けられている、請求項１又は請求項２に記載の吸収性物品。
【請求項４】
前記圧搾部は、前記長手方向及び前記幅方向に対して傾斜する第１方向に沿う第１圧搾部と前記第１方向と交差する第２方向に沿う第２圧搾部とが前記長手方向に連続した波状圧搾部を複数備えており、
前記複数の波状圧搾部は、一の波状圧搾部の前記第１圧搾部と他の波状圧搾部の前記第２圧搾部とが前記幅方向に並び、格子状に配置されている、請求項１から請求項３のいずれかに記載の吸収性物品。
【請求項５】
前記圧搾部は、前記吸収体の非肌当接面側から肌当接面側に向かって凹む形状である、請求項１から請求項４のいずれかに記載の吸収性物品。
【請求項６】
前記脚回り開口部に沿って配置され、かつ前記長手方向に伸縮する脚回り弾性材を備えており、
前記脚回り弾性材は、前記長手方向に沿って配置されている、請求項１から請求項５のいずれかに記載の吸収性物品。
【発明の詳細な説明】
【技術分野】
【０００１】
本発明は、使い捨ておむつ等の吸収性物品に関する。
【背景技術】
【０００２】
特許文献１には、パンツ型の使い捨ておむつとしての吸収性物品において、フィット性を高めるために、吸収体の厚み及び曲げ剛性を規定した吸収性物品が開示されている。この吸収性物品の吸収体は、曲げ弾性が２０ｇ・cm以下であり、その厚みが５．０mm以下である。この吸収性物品によれば、比較的吸収体の曲げ弾性が低くかつ厚みが薄いため、吸収体が柔軟に変形して、吸収体が身体にフィットし易くなり、身体と吸収体との隙間が形成されることによる漏れを抑制できる。
【先行技術文献】
【特許文献】
【０００３】
【特許文献１】特開平５−１９２３６６号公報
【発明の概要】
【発明が解決しようとする課題】
【０００４】
しかしながら、上述した吸収性物品においては、以下の問題があった。
【０００５】
特許文献１に記載の吸収性物品の吸収体は、身体にフィットし易くするために曲げ剛性が低く設定されている。そのため、吸収性物品を長時間使用した場合に、吸収体が折れ曲がってしまったり、吸収体が依れてしまったりすることがある。特に、着用時に両脚によって吸収体が挟まれることにより、吸収体の幅方向中心を基点に吸収体が長手方向に沿って折れることがある。このように吸収体が変形すると、却って吸収体と身体との隙間が生じ、フィット性が低下し、漏れが発生したり装着感が悪化したりすることがある。
【０００６】
そこで、本発明は、上述の課題に鑑みてなされたものであり、吸収体の柔軟性を確保しつつ、吸収体の折れによる漏れを抑制することができる吸収性物品を提供することを目的とする。
【課題を解決するための手段】
【０００７】
本発明に係る吸収性物品は、着用者の身体前側と身体後側とに延びる前後方向と、前記前後方向に直交する幅方向と、前記着用者に向かう内方向と、前記内方向と反対側に向かう外方向と、を有し、前胴回り域と、後胴回り域と、前記前胴回り域と前記後胴回り域との間に位置する股下域とを備える吸収性物品であって、少なくとも前記股下域に配置される吸収体を有する吸収性本体と、前記吸収性本体よりも前記外方向に配置される外装体と、を有しており、前記吸収性本体の前側端部と前記外装体とが重なる前側重複部と、前記吸収性本体の後側端部と前記外装体とが重なる後側重複部と、を有しており、少なくとも前記股下域には、前記着用者の脚回りに配置される脚回り開口部が形成され、前記吸収性本体は、前記脚回り開口部よりも前記幅方向内側に配置され、かつ前記長手方向に伸縮するサイド伸縮部を備えており、前記前側重複部に配置された吸収体及び前記後側重複部に配置された吸収体には、前記長手方向に対して傾斜する方向に沿って配置された圧搾部が複数形成され、前記幅方向において前記吸収体と重なる位置に前記サイド伸縮部の少なくとも一部が接合されていることを要旨とする。
【発明の効果】
【０００８】
本開示に係る特徴によれば、吸収体の柔軟性を確保しつつ、吸収体の折れによる漏れを抑制することができる吸収性物品を提供することができる。
【図面の簡単な説明】
【０００９】
【図１】実施の形態に係る使い捨ておむつの展開平面図である。
【図２】図１に示すＡ-Ａ線に沿った使い捨ておむつの前後方向断面図である。
【図３】図１に示すＢ-Ｂ線に沿った使い捨ておむつの幅方向断面図である。
【図４】吸収体の非肌当接面側の平面図である。
【図５】実施形態の係る使い捨ておむつを装着した状態を模式的に示した図である。
【発明を実施するための形態】
【００１０】
次に、吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１１】
（１）使い捨ておむつの全体概略構成
図１は、本実施形態の使い捨ておむつ１の展開平面図である。図２は、図１に示すＡ−Ａ線に沿った使い捨ておむつ１の前後方向断面図である。図３は、図１に示すＢ−Ｂ線に沿った使い捨ておむつ１の幅方向断面図である。使い捨ておむつ１は、パンツ型の使い捨ておむつである。
【００１２】
使い捨ておむつ１は、着用者の身体前側と身体後側とに延びる前後方向Ｌと、前後方向Ｌに直交する幅方向Ｗと、着用者に向かう内方向ＩＮ及び内方向と反対側に向かう外方向ＯＵＴを有する厚み方向Ｔと、を有する。
【００１３】
使い捨ておむつ１は、図２に示すように、使い捨ておむつ１の前後方向Ｌにおいて、着用者の前胴回りに当てられる前胴回り域Ｓ１と、着用者の後胴回りに当てられる後胴回り域Ｓ２と、着用者の股下に当てられ、前胴回り域Ｓ１と後胴回り域Ｓ２との間に位置する股下域Ｓ３と、を有する。
【００１４】
使い捨ておむつ１は、表面シート１０、吸収体４０及び吸収体裏面シート３０等を含む吸収性本体１Ａと、前側外装シート７０、後側外装シート８０等を含む外装体１Ｂと、から構成されている。使い捨ておむつ１は、吸収性本体１Ａの前側端部と外装体１Ｂとが重なる前側重複部Ｒ１と、吸収性本体１Ａの後側端部と外装体１Ｂとが重なる後側重複部Ｒ２と、を有する。吸収性本体１Ａと外装体１Ｂとは、前側重複部Ｒ１及び後側重複部Ｒ２において、接着剤や熱融着などによって接合されている。
【００１５】
前胴回り域Ｓ１の外装体１Ｂの一方の幅方向外側に位置する前胴回り縁部４が、後胴回り域Ｓ２の外装体１Ｂの一方の幅方向外側に位置する後胴回り縁部６と接合され、かつ外装体１Ｂの他方の幅方向外側に位置する前胴回り縁部４’が、外装体１Ｂの他方の幅方向外側に位置する後胴回り縁部６’と接合されることによって、使い捨ておむつ１がパンツ型に形成される。パンツ型の使い捨ておむつの前胴回り域及び後胴回り域には、互いの縁部が接合された接合部１１が形成されており、股下域Ｓ３は、接合部１１よりも前後方向内側の領域である。
【００１６】
使い捨ておむつ１には、図５に示すように、パンツ型に形成された状態で、着用者の腰回りを囲んで配置される腰回り開口部８と、着用者の脚回りを囲んで配置される一対の脚回り開口部９と、が形成される。
【００１７】
外装体１Ｂは、前側外装シート７０、後側外装シート８０を含み、使い捨ておむつ１の外装部分を構成する。外装体１Ｂは、吸収性本体１Ａに接合され、かつ少なくとも前胴回り域に配置される前側外装体１ＢＦと、吸収性本体１Ａに接合され、かつ少なくとも後胴回り域に配置される後側外装体１ＢＲと、を有する。前後方向において前側外装体１ＢＦと後側外装体１ＢＲとが離間した領域では、吸収性本体１Ａの非肌接側の面が露出している。外装体１Ｂは、吸収性本体１Ａと重なる領域の少なくとも一部において吸収性本体１Ａと接合されている。前側外装１ＢＦは、吸収性本体１Ａの前側端部と接合されており、後側外装体１ＢＲは、吸収性本体１Ａの後側端部と接合されている。
【００１８】
前側外装シート７０は、腰回り開口部８を基点として折り畳まれ、２層に積層されている。２層の前側外装シート７０の間には、幅方向に伸縮する胴回り弾性材３Ａが複数配置されている。後側外装シート８０は、腰回り開口部８を基点として折り畳まれ、２層に積層されている。２層の後側外装シート８０の間には、幅方向に伸縮する胴回り弾性材３Ａが複数配置されている。
【００１９】
外装体１Ｂは、胴回り弾性材３Ａによって収縮する収縮領域と、胴回り弾性材３Ａによって収縮しない非収縮領域と、を備えている。収縮領域とは、弾性材の収縮力が発現されることによって外装体１Ｂが収縮する領域である。非収縮領域とは、弾性材の収縮力が発現されてなく外装体１Ｂが収縮しない領域であり、弾性材が配置されていない領域のみならず、弾性材が配置されているが、その収縮力が発現されていない領域も含む。
【００２０】
吸収性本体１Ａは、表面シート１０、吸収体裏面シート及び防漏部を含み、外装体１Ｂよりも着用者側に配置される。
【００２１】
表面シート１０は、着用者の肌に直接的に接し得る肌当接面を形成するシートである。表面シート１０は、吸収体４０よりも肌当接面側に配置される。表面シート１０は、親水性不織布や織物、開口プラスチックフィルム、開口疎水性不織布などの液透過性のシートによって形成されている。
【００２２】
吸収体４０は、粉砕パルプや高吸収性ポリマーなどの混合粉体で形成される。本実施の形態に係る吸収体は、比較的目付が低く構成されており、吸収体の厚みは３．０ｍｍ位である。一般的な、使い捨ておむつの吸収体の厚みは、４．０〜５．０ｍｍである。本実施の形態に係る吸収体は、比較的厚みが薄く、曲げ剛性が低い吸収体において好適に用いることができる。なお、吸収体の構成については、後述にて詳細に説明する。
【００２３】
また、吸収体４０の厚さは、吸収体４０の製品長及び製品幅に伸ばされた状態（つまり、しわの入らないように平坦な状態）で厚さ測定器に測定したい部分を挟み込んで測定する。使用可能な測定装置としては、例えば、ＰＥＡＣＯＣＫ製厚み計（測定部：直径５０ｍｍ、測定時圧力：１０＋／−５ｇ／ｃｍ２）を用いることができる。
【００２４】
吸収体裏面シート３０は、吸収体４０の非肌当接面側に設けられている。吸収体裏面シート３０は、液不透過性フィルムなど（例えば、ポリエチレン）のシートによって形成されている。吸収体裏面シート３０は、吸収体よりも外方向ＯＵＴに配置され、かつ液不透過性である。
【００２５】
防漏部３４は、脚回り開口部９よりも幅方向内側において、吸収体４０の幅方向端部において前後方向に沿って配置されている。防漏部は、サイドシート３２と、防漏弾性材３３と、によって構成されている。サイドシート３２は、吸収体裏面シート３０の非肌面側に配置されている。サイドシート３２は、吸収体４０の幅方向Ｗの両側端において、表面シート１０、吸収体裏面シート３０を一体に包むように設けられる。サイドシート３２は、液不透過性の不織布などのシートによって形成されている。サイドシート３２の幅方向両端部は、吸収体４０の幅方向側部から表面シート側に折り返され、表面シート１０の肌当接面側の面に接合されている。サイドシート３２は、ホットメルト接着剤によって表面シート等に接合されている。
【００２６】
防漏弾性材３３は、サイドシート３２間に、伸長状態で貼りあわされている。防漏弾性材の固定手段としては、ホットメルト型接着剤を例示できる。
【００２７】
サイドシート３２は、前側外装体１ＢＦと後側外装体１ＢＲとの間において、非肌当接側面で露出している。当該領域では、サイドシート３２が使い捨ておむつ１の非肌当接側の面を構成する。
【００２８】
脚回り開口部９に沿ってレッグギャザーが形成されている。レッグギャザー５は、前後方向に沿って配置された脚回り弾性材５Ａによって構成されている。脚回り弾性材５Ａは、サイドシートが吸収体よりも幅方向外側で折り畳まれた状態で、当該サイドシート間に接合されている。レッグギャザー５は、防漏部３４とは幅方向に離間して設けられている。
【００２９】
（２）吸収体の構成
吸収体４０には、吸収体４０を厚み方向に圧搾加工（エンボス加工）して形成された圧搾部４１が形成されている。圧搾部４１は、平面視認にて直線状に配置されている。圧搾部４１は、吸収体の非肌当接面側から肌当接面側に向かって圧搾されて形成されている。よって、圧搾部の断面形状は、肌当接面側に向かう凸形状である。
【００３０】
図４は、吸収体の非肌当接面側の平面図である。図４に示すように、圧搾部は、吸収体の全体に亘って、長手方向及び幅方向に対して傾斜して配置されている。圧搾部４１は、長手方向及び幅方向に対して傾斜する第１方向に沿う第１圧搾部４１Ａと第１圧搾部４１Ａと交差する第２方向に沿う第２圧搾部４１Ｂとが長手方向に連続する波状圧搾部を複数備えている。複数の波状圧搾部は、一の波状圧搾部の第１圧搾部４１Ａと他の波状圧搾部の第２圧搾部４１Ｂとが幅方向に並び、格子状に配置されている。一の波状圧搾部と他の波状圧搾部とは、幅方向に間隔を空けて配置されているが、一の波状圧搾部と他の波状圧搾部とが接していてもよい。また、圧搾部は、第１圧搾溝が直線状に配置され、かつ第２圧搾部が第１圧搾溝と交差する第２圧搾溝が直線状に配置され、第１圧搾溝と第２圧搾溝とが交差する格子状であってもよい。
【００３１】
例えば、吸収体の柔軟性を確保するために吸収体の剛性を低くすると、吸収体が意図しない部分で折れてしまって、吸収体が身体に密着せずに漏れが発生することがある。特に、前胴回り域及び後胴回り域の全体には、胴回り弾性材３Ａが配置されており、前側外装シート及び後側外装シートは、幅方向に収縮する。そのため、吸収体には、幅方向外側から幅方向内側に向かう力が作用する。
【００３２】
また、使い捨ておむつが装着された状態において、着用者の両足によって吸収体が挟まれると、吸収体には、幅方向外側から幅方向内側に向かう力が作用する。このように、幅方向外側から幅方向内側に向かう力が吸収体に作用すると、吸収体が意図しない部分で折れてしまって、吸収体が身体に密着せずに折れてしまうことがある。特に、着用者の両足で吸収体が挟まれることにより、吸収体の幅方向中央部が長手方向に延びる折り目を起点に折れ曲がることがある。
【００３３】
しかし、第１圧搾部４１Ａ及び第２圧搾部４１Ｂが長手方向に対して傾斜する方向に沿っているため、吸収体が長手方向に対して傾斜する圧搾部を基点に折れ曲がる。よって、吸収体が長手方向に沿う折り目を起点に折れ曲がることを抑制できる。
【００３４】
吸収体にこのような圧搾部を設けることにより、吸収体の剛性を高くすることができる。たとえ、吸収体の厚みを低くした場合であっても、圧搾部を設けることにより剛性を高め、意図しない箇所での折れを抑制できる。例えば、吸収材料の目付を低くした場合であっても、吸収体の剛性を高め、長時間使用しても吸収体の変形を抑制できる。また、吸収材料の目付を低くした場合であっても、品質を確保できるこるため、コストを低減できる。
【００３５】
特に、一部の圧搾部４１は、吸収体４０の前端部と吸収体の幅方向の端部とに跨がって配置され、又は吸収体４０の後端部と吸収体の幅方向の端部とに跨がって配置されている。このように、吸収体４０の前後方向の端部と吸収体の幅方向端部とに跨がる圧搾部を設けることにより、吸収体の外周端部（前後方向の端部及び幅方向の端部）の変形を効果的に抑制し、吸収体の目付を低くして吸収体の柔軟性を確保した場合であっても、吸収体の折れによる漏れを抑制することができる。
【００３６】
なお、圧搾部は、少なくとも前側重複部に配置された吸収体及び後側重複部に配置された吸収体に設けられていればよいが、吸収体全体に設けられていてもよい。外装体１Ｂの全体には、胴回り伸縮部３Ａが配置されているため、外装体全体には幅方向に収縮する力が作用する。よって、外装体と接合された前側重複部Ｒ１及び後側重複部Ｒ２内の吸収体には、幅方向に収縮する力が作用する。
【００３７】
しかし、前側重複部Ｒ１及び後側重複部Ｒ２に配置された吸収体に圧搾部を形成することにより、圧搾部によって吸収体の剛性を高め、吸収体の変形を抑制することができる。よって、吸収体が長手方向に沿う折り目を基点に折れ曲がることによるフィット性の低下を抑制できる。
【００３８】
また、圧搾部が格子状に配置されているため、変形基点を複数の方向に沿って設けることができ、より身体にフィットしつつ吸収体が変形する。複数の圧搾部が格子状に配置されているため、吸収体が平面ではなく、丸みを帯びた立体的な形状に変形し、丸みを帯びた乳幼児の臀部にフィットし易くなる。
【００３９】
なお、圧搾部４１のパターンは、特に限定されないが、例えば、左右均等のパターンが望ましい。圧搾部４１のパターンが左右均等であることにより、左右においてバランスよく変形させて、吸収体を身体にフィットさせることができる。
【００４０】
また、圧搾部４１は、吸収体の非肌当接面側から肌当接面側に向かって凹む形状である。吸収体によって吸収した体液を非肌当接面側で拡散しやすくなり、吸収体の肌当接面側の液伝いによる装着感の悪化を抑制できる。
【００４１】
前側重複部Ｒ１と後側重複部Ｒ２の少なくとも一部には、胴回り弾性材によって収縮しない非収縮領域が設けられている。具体的には、胴回り弾性材３Ａは、前側重複部Ｒ１と後側重複部Ｒ２の一部に配置されてなく、または配置されているが収縮力が発揮されないように配置されている。前側重複部Ｒ１と後側重複部Ｒ２の少なくとも一部には、非収縮領域が設けられていることより、吸収性本体内の吸収体に対して幅方向に収縮させる力を抑制でき、意図しない折り目、例えば、長手方向に延びる折り目を起点に吸収体の幅方向中央部が折れ曲がることを抑制できる。
【００４２】
更に、外装体１Ｂの重畳領域に胴回り弾性材を配置しないことにより、使い捨ておむつの外側から吸収体を視認しやすくなる。外側からの吸収体の視認性を高めることにより、吸収体の圧搾部に沿って体液が拡散したことを把握しやすくなり、使い捨ておむつを装着した状態で体液が排出されたことを把握し易くなる。
【００４３】
また、図３に示すように、幅方向Ｗにおいて吸収体４０と重なる位置にサイド伸縮部としての防漏部３４の少なくとも一部が接合されている。具体的には、前側重複部に配置された吸収体及び後側重複部に配置された吸収体４０よりも肌当接面側に配置されている表面シート１０には、サイド伸縮部としての防漏部３４の一部が接合されている。より具体的には、防漏部３４を構成するサイドシート３２の前後方向両端部が、吸収体の肌当接面上に配置された表面シート１０に接合されている。防漏部の少なくとも一部が、圧搾部が形成されることにより剛性が高く形成された吸収体に接合されているため、防漏部の幅方向の位置ずれを抑制し、横漏れを防ぐことができる。
【００４４】
また、サイドシート３２と表面シート１０とが接合された接合部４３（図３）は、外装体の非収縮領域に重なっている。たとえば、接合部４３が収縮領域に重なっていると、胴回り弾性材の収縮によって防漏部３４の位置がずれてしまうおそれがある。しかし、接合部が非収縮領域に重なっているため、胴回り弾性材の収縮によって防漏部３４の位置がずれることを抑制できる。
【００４５】
非収縮領域では、外装体１Ｂを構成する前側外装シート７０及び後側外装シート８０は、吸収性本体１Ａとの間に隙間が形成されないように接合されている。例えば、外装体１Ｂの非収縮領域と吸収性本体１Ａとの一部に隙間が設けられる場合には、外装体１Ｂが胴回り弾性材３Ａによって収縮しないため、着用された状態において隙間が形成され、漏れが発生するおそれがある。しかし、非収縮領域では、外装体１Ｂを構成する前側外装シート７０及び後側外装シート８０と吸収性本体１Ａとが隙間が形成されないように接合されているため、外装体１Ｂと吸収性本体１Ａとの隙間に起因する漏れを抑制できる。
【００４６】
また、脚回り弾性材５Ａは、長手方向に沿って配置されている。脚回り弾性材が長手方向に沿って配置されているため、吸収体の幅方向外側端部と脚回り弾性材との距離が変化し難い。よって、吸収体によって剛性を確保し、脚回り弾性材の位置ずれを抑制できる。
【００４７】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００４８】
例えば、変形例として、外装体の重畳領域の一部を収縮領域と重なるように構成してもよい。例えば、吸収体の幅方向端部に重なるように収縮領域を設け、吸収体の幅方向中央領に重なるように非収縮領域を設けることができる。吸収体の幅方向端部に重なるように収縮領域を設けることにより、吸収体の一部を胴回り弾性材によって引き上げる（身体に密着させる方向に引き上げる）ことができる。例えば、幅方向において10mm〜30mmの範囲で、吸収体と収縮領域が重なることが望ましい。
【００４９】
圧搾部４１は、少なくとも吸収体４０を厚み方向Ｔに圧搾されて形成されていればよく、種々の構成を採用することができる。例えば、プレス加工やエンボス加工によって形成することができ、その形状は、格子網やハニカム形状であってもよい。
【００５０】
また、圧搾部は、吸収体の肌当接面側から非肌当接面側に向かって圧搾されて形成されていてもよい。また、圧搾部は、格子状に配置されていなくてもよい。
【００５１】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【００５２】
１Ａ      ：吸収性本体
１Ｂ      ：外装体
１ＢＦ    ：前側外装体
１ＢＲ    ：後側外装体
３        ：サイドシート
３Ａ      ：胴回り弾性材
４        ：前胴回り縁部
５        ：脚回り弾性材
６        ：後胴回り縁部
８        ：腰回り開口部
９        ：脚回り開口部
１０      ：表面シート
１１      ：接合部
３０      ：吸収体裏面シート
３２      ：サイドシート
３３      ：防漏弾性材
３４      ：防漏部
４０      ：吸収体
４１      ：圧搾部
４１Ａ    ：第１圧搾部
４１Ｂ    ：第２圧搾部
４３      ：接合部
７０      ：前側外装シート
８０      ：後側外装シート
ＩＮ      ：内方向
Ｌ        ：方向
ＯＵＴ    ：外方向
Ｓ１      ：前胴回り域
Ｓ２      ：後胴回り域
Ｓ３      ：股下域
Ｔ        ：厚み方向
Ｗ        ：幅方向
【図１】
2014069002.tif 000003
【図２】
2014069002.tif 000004
【図３】
2014069002.tif 000005
【図４】
2014069002.tif 000006
【図５】
2014069002.tif 000007